(57)【要約】【課題】雑誌や週刊誌等の本の小口部を封緘した封緘本において、書店等の店頭にて購買者や読者によって不健全な図書として認識されないようにすると共に、封緘本の表面のデザインや意匠の広い展開を可能とすることにより、顧客の吸引効果を向上させる。【解決手段】丁合折丁１の背部２若しくは表紙付けされた丁合折丁の背部２にて綴じ付けされた綴本Ａを、その小口部３から背部３にかけて封緘用表紙Ｂにて断面コの字状にくるみ被覆して封緘した封緘本であって、前記封緘用表紙Ｂの表裏表紙部１１、１１が、綴本Ａの表裏外面紙葉１ａ、１ａの小口部３近傍部分の表裏外面と剥離可能且つ再接着不可能に接着材１３にて接着されている。【選択図】図１
0003147765.tif 000002
【実用新案登録請求の範囲】
【請求項１】
丁合折丁の背部若しくは表紙付けされた丁合折丁の背部にて綴じ付けされた綴本を、その小口部から背部にかけて封緘用表紙にて断面コの字状にくるみ被覆して封緘した封緘本であって、前記封緘用表紙が、綴本の小口部近傍部分の表裏外面と剥離可能且つ再接着不可能に接着材にて接着されていることを特徴とする封緘本。
【考案の詳細な説明】
【技術分野】
【０００１】
本考案は平綴形式や中綴形式等の適宜方式にて綴じ付けされた綴本を封緘した封緘本に関する。
【背景技術】
【０００２】
従来より、書店など店頭における雑誌や週刊誌等の本の無断の立ち読みや、無断の小口部の開放を防止するために、本の全体あるいは小口部を封緘した封緘本がある。例えば、特許文献１（特開昭４９−０５５４１９号公報）には、本の小口側を断面コの字状の保護カバーで覆い、その保護カバーの縁部を接着剤にて表裏紙面に接着して小口部を封緘した本について記載され、また、特許文献２（実用新案登録第３０２２７７０号公報）には、本の小口側に断面コの字状に、裏面に弱粘性の糊層を設けたフィルムを剥離可能に貼着して小口部を封緘した簡易包装本の構成が記載されている。
【０００３】
本願考案に関連する公知文献を以下に示す。
【特許文献１】特開昭４９−０５５４１９号公報
【特許文献２】実用新案登録第３０２２７７０号公報
【考案の開示】
【考案が解決しようとする課題】
【０００４】
ところで、上記のような封緘本は、本の小口部分のみが封緘されているため、本の表裏外面（表裏表紙面）は、そのまま視認できる状態にあり、条例などにより公衆に対して小口封緘義務のある本の場合は、購買者や読者によっては、不健全な図書として認識される場合がある。
【０００５】
本考案は、上記のような雑誌や週刊誌等の本の小口部を封緘した封緘本において、書店等の店頭にて購買者や読者によって不健全な図書として認識されないようにすると共に、封緘本の表面のデザインや意匠の広い展開を可能とすることにより、顧客の吸引効果を向上させることを目的とするものである。
【課題を解決するための手段】
【０００６】
本考案は、丁合折丁の背部若しくは表紙付けされた丁合折丁の背部にて綴じ付けされた綴本を、その小口部から背部にかけて封緘用表紙にて断面コの字状にくるみ被覆して封緘した封緘本であって、前記封緘用表紙が、綴本の小口部近傍部分の表裏外面と剥離可能且つ再接着不可能に接着材にて接着されていることを特徴とする封緘本である。
【考案の効果】
【０００７】
本考案によれば、小口封緘の必要な書籍、雑誌、週刊誌、冊子状カタログ、冊子等の綴本に、封緘を施す際に、封緘に使用する封緘用表紙には、綴本の表裏外面とは異なる各種の外観が美麗なデザインや意匠、レタリング等を施すことができ、また封緘された綴本の表紙と、封緘用表紙との二重の表紙を形成することが可能になるため、各種のデザインや特殊なデザインによる顧客吸引効果が期待できるものである。
【考案を実施するための最良の形態】
【０００８】
本考案の封緘本について、図１、図２と、その実施の形態に基づいて以下に詳細に説明すれば、図１は、本考案の封緘本の側断面図であり、Ａは綴本であり、１は丁合折丁（又
は丁合折丁（本文頁）の表裏、背部を被覆する表裏表紙１ａを綴じ付けした丁合折丁）、２は丁合折丁１を綴じ付けした綴本Ａの綴部（背部）、３は綴本Ａの背部２と対向する小口部である。Ｂは封緘用の表紙であり、図示するように断面コの字状に、表表紙部１１、背部１２、裏表紙部１１から構成されている。
【０００９】
図１に示すように、綴本Ａの外側は、その綴本Ａの小口部３側から背部２側にかけて、封緘用表紙Ｂにより断面コの字状にくるまれて被覆され、その綴本Ａの表裏外面紙葉１ａ、１ａ（丁合折丁又は綴本表紙の表裏外面紙葉）は、封緘用表紙Ｂの表裏表紙部１１、１１にて被覆され、該綴本Ａの小口部３は、該封緘用表紙Ｂの背部１２により被覆されている。
【００１０】
前記封緘用表紙Ｂの表裏表紙部１１、１１は、図１に示すように、綴本Ａの小口部３の近傍部分の表裏外面紙葉１ａ、１ａと、剥離可能且つ再接着不可能に、接着材１３にて接着されて、綴本Ａが封緘されて、本考案の封緘本が構成されている。なお、綴本Ａの丁合折丁１（本文頁）と表裏外面紙葉１ａ、１ａ、及び封緘用表紙Ｂの表裏表紙部１１、１１には、綴本Ａの掲載情報等の情報が印刷等により適宜に施されている。
【００１１】
本考案の封緘本を形成するための丁合折丁１（本文頁、又は本文頁と表裏表紙）は、丁合製本機などを用いて平綴形式や中綴形式にて、２乃至複数枚の折丁を１枚ずつ順次丁合し、綴じ付けして、背部（綴部）以外の三方（天部、地部、小口部）を、断裁（仕上げ断裁）して形成されている。
【００１２】
図２は、本考案の封緘本の封緘を解いた状態を示す側断面図であり、綴本Ａの小口部３の近傍の表裏外面紙葉１ａ、１ａに接着材１３を介して接着している封緘用表紙Ｂの表裏表紙部１１、１１を、その綴本Ａの表裏外面紙葉１ａ、１ａから剥離することにより、封緘用表紙Ｂの表裏表紙部１１、１１層と接着材１３層が接着した状態で、綴本Ａの表裏外面紙葉１ａ、１ａ（易剥離層）から接着材１３層が剥離し、綴本Ａを封緘用表紙Ｂによる封緘状態から開放して分離することができる。
【００１３】
本考案おいては、綴本Ａの表裏外面紙葉１ａ、１ａ本体が易剥離層を構成していてもよいが、例えば図３に示すように、綴本Ａの表裏外面紙葉１ａ、１ａにおける前記封緘用表紙Ｂのそれぞれ表裏表紙部１１、１１と重なる側の全面にベタ状若しくは適宜パターン状（ストライプ状、断続又は連続する複数本の帯状、点線状、網点状、図絵柄状など）に、又は綴本Ａの表裏外面紙葉１ａ、１ａの封緘用表紙Ｂと重なる側の面の小口部３近傍部分に適宜パターン状（小口部３の端部に沿って平行な断続又は連続する帯状、点線状など）に、それぞれ易剥離層１ｂが、ポリプロピレンフィルム貼りによるＰＰ貼り加工、速乾性ニス引き加工、塩化ビニルと速乾性ニスを混合したビニル樹脂引き加工、塩化ビニルフィルム貼り加工等により積層形成されている。
【００１４】
綴本Ａの表裏外面紙葉１ａに形成した易剥離層１ｂには、接着材１３（接着層）が易剥離可能に接着（高温加熱溶着）していて、常温温度条件下では、再接着は不可能となっていて、綴本Ａの表裏外面紙葉１ａに形成した易剥離層１ｂと接着材１３との剥離強度ａ1 に対して、封緘用表紙Ｂの表裏表紙部１１、１１と接着材１３との剥離強度ａ2 は、ａ2 ＞ａ1 となるように設定されている。使用する接着材１３としては、例えば、エチレン−酢酸ビニル共重合体（ＥＶＡ）系やゴム系等のホットメルト型接着剤［軟化点８０℃〜１１０℃、粘度（１８００〜５５００ｍＰａ・ｓ（１６０℃）、２３５０〜８０００ｍＰａ・ｓ（１５０℃））、塗工温度１５０℃〜１６０℃］があり、その中、ＥＶＡ系のホットメルト型接着剤であって、軟化点９４℃、粘度１８００Ｐａ・ｓ（１６０℃）、２３５０Ｐａ・ｓ（１５０℃）、塗工温度１６０℃が最適である。
【図面の簡単な説明】
【００１５】
【図１】本考案の封緘本の一例を説明する側断面図。
【図２】本考案の封緘本を開放した状態を説明する側断面図。
【図３】本考案の封緘本における封緘接着構造を説明する側断面図。
【符号の説明】
【００１６】
Ａ…封緘された綴本
１…丁合折丁
１ａ…表裏外面紙葉
１ｂ…易剥離層
２…綴部（背部）
３…小口部
１１…表裏表紙部
１２…背部
１３…接着材
【図１】
0003147765.tif 000003
【図２】
0003147765.tif 000004
【図３】
0003147765.tif 000005